(57)【要約】      （修正有）【課題】電気コネクタの結線性向上を図るとともに、半田付けの際の余分な半田による隣接導電端子間の短絡を可及的に防止して、接続信頼性を向上させるようにした電気コネクタを提供する。  【解決手段】ケーブル２０と半田付け接続される半田付け部３ｂを有する導電端子３が配設された電気コネクタ１において、半田付け部３ｂに半田バー１１を位置決め支承する凹部１０を形成するようにした。  【選択図】図５
2006228668.tif 000002
【特許請求の範囲】
【請求項１】
ケーブルと半田付け接続される半田付け部を有する導電端子と、該導電端子を支承した絶縁体のハウジングと、前記導電端子の半田付け部上に配設される半田バーとを少なくとも有する電気コネクタにおいて、
前記導電端子の半田付け部に前記半田バーを位置決め支承する凹部を形成するようにしたことを特徴とする電気コネクタ。
【請求項２】
前記ケーブルは同軸ケーブルの中心導体であることを特徴とする請求項１に記載の電気コネクタ。
【請求項３】
前記半田バーの断面は矩形状であり、対応する前記凹部の断面形状も矩形状であることを特徴とする請求項１に記載の電気コネクタ。
【請求項４】
前記半田バーの断面は円形であり、対応する前記凹部の断面形状は円弧形状であることを特徴とする請求項１に記載の電気コネクタ。
【発明の詳細な説明】
【技術分野】
【０００１】
この発明は、ケーブルとケーブル、あるいはケーブルと印刷配線基板等を電気的に接続するケーブル接続用の電気コネクタに関し、特にケーブルと接続される電気コネクタの導電端子の改良に関する。
【背景技術】
【０００２】
従来から、ケーブルとケーブル、あるいはケーブルと印刷配線基板等を接続する電気コネクタとしては各種のものが使用されているが、電気コネクタに配設された導電端子とケーブルとの電気的接続は半田付けにより行なわれている。  
一方、電気コネクタに所定のピッチで配設された複数の本導電端子と、これに対応する複数本のケーブル、たとえば複数本の同軸ケーブルとを接続する場合は、従来から上述した複数本の導電端子に形成された各半田付け部の各上面を跨ぐようにフラックスを塗布した一本の半田バーを配設した後、対応する複数本の中心導体を半田バー上に配設し、パルスヒートのヒータチップを半田バー側に圧接させて、複数本の中心導体と、これに対応する複数本の導電端子の各半田付け部とを一括して半田付けして接続するようにしている。なお従来ではオペレータによる手半田により一本づつ半田付けして接続する場合もある。
【発明の開示】
【発明が解決しようとする課題】
【０００３】
ところで、上述した従来の電気コネクタによると、導電端子の各半田付け部の各上面を跨ぐよう一本の半田バーを配設した後、その上面にケーブルを配設すると当該ケーブルと半田バーとが衝突して半田バーが位置ずれを起す虞があり、このように半田バーの位置ずれが発生した場合は、再度半田バー及びケーブルの再配置をしなければならず、このためケーブルの結線作業性が低下する難点があった。
【０００４】
またパルスヒートのヒータチップ、あるいはオペレータによる手半田により一本づつ半田付けしてケーブルを接続する際、加熱溶融された半田あるいは余分なフラックスは各導電端子間の半田付け部へ流れ出し（いわゆる半田上がり、フラックス上がりの発生）、これが原因となって隣接導電端子間の短絡が発生し、電気コネクタの接続不良を招来する原因ともなっていた。
【０００５】
この発明は、上述した事情に鑑み、電気コネクタにおける結線作業性の向上を図るとともに、半田付けの際の余分な半田による隣接導電端子間の短絡を防止して、接続信頼性を向上させるようにした電気コネクタを提供することを目的とする。
【課題を解決するための手段】
【０００６】
上述した課題を解決するため、この発明では、ケーブルと半田付け接続される半田付け部を有する導電端子と、該導電端子を配設した絶縁体のハウジングと、前記導電端子の半田付け部上に配設される半田バーとを少なくとも有する電気コネクタにおいて、前記導電端子の半田付け部に前記半田バーを位置決め支承する凹部を形成するようにしている。
【発明の効果】
【０００７】
上述した、本願発明の電気コネクタによると、導電端子の半田付け部に半田バーを位置決め支承する凹部を形成するようにしたため、当該凹部内に半田バーを配設した後、ケーブルを半田バー上に配設しても、当該半田バーは凹部により位置決め支承されているため位置ずれを起す虞が可及的に低減し、このためケーブの結線作業性を著しく向上させることが出来る。また、ケーブルを半田付けして接続する際に、加熱溶融された余分な半田あるいはフラックスは、上述した凹部内に留まることとなり、このため加熱溶融された余分な半田による隣接導電端子の短絡が可及的に防止され、このため半田上がり、フラックス上がりを原因とする接続不良を可及的に低減させて接続信頼性を著しく向上させた電気コネクタを提供することができる。
【発明を実施するための最良の形態】
【０００８】
以下、この発明に係る電気コネクタの一実施例を詳述する。
【０００９】
図１はこの発明に係る電気コネクタ１を示す要部破断面図である。
【００１０】
この実施例の電気コネクタ１は、下方に位置する図示せぬリセプタクルに嵌着してケーブルを電気的に接続するプラグタイプのコネクタである。
【００１１】
この電気コネクタ１も、従来と同様にプラスチック等の合成樹脂で形成された絶縁体のハウジング２と、このハウジング２の幅方向（図面垂直方向）に沿って所定のピッチで配設された複数本の導電端子３とから構成されている。なお、図１で符号４はハウジング２の一部を覆う金属等の導電体で形成されたシールド部材である。
【００１２】
一方、上述した導電端子３は、下方に略Ｊ字形状に折り曲げ形成されたコンタクト部３ａと、このコンタクト部３ａに連設された水平な半田付け部３ｂとから構成され、この半田付け部３ｂ上には断面矩形状の凹部１０が形成されている。
【００１３】
この凹部１０の断面形状は、矢印Ａのように上方から配設される断面矩形状の半田バー１１の断面形状に対応し、該半田バー１１が図２で示すように凹部１０内に配設された際に位置決め支承される形状に形成されている。なお図２で示すように、半田バー１１が前記凹部１０内に位置決め支承された際に、その上面１１ａが前記凹部１０の表面から突出するように形成する。
【００１４】
なお、図３は、上述した電気コネクタ１に半田バー１１を装着した状態を示す概念斜視図である。
【００１５】
一方、上述した電気コネクタ１０に接続されるケーブルは、実施例では、図３に示すように、先端に中心導体２０が露出し、さらに外部導体２１が金属等の導電体で形成された位置決め接続バー２２により一括接続された複数本の同軸ケーブル体２３により構成されている。なお、図３で符号３０はハウジング２に形成され、前記同軸ケーブル体２３の接続バー２２を位置決め支承する凹部である。
【００１６】
このような、電気コネクタ１によると、図４で示すように、導電端子３の凹部１０内に半田バー１１を位置決め支承させた後、矢印Ｂで示すように、当該半田バー１１上に同軸ケーブル体２３の中心導体２０を配設する際、図５で示すように半田バー１１は凹部１０内に位置決め支承され、図面の左右方向への移動が規制されているため、その位置から半田バー１１が移動して位置ずれを起すことはない。なお図６は、上述した電気コネクタ１に半田バー１１を装着し、その後、当該半田バー１１上に同軸ケーブル体２３の中心導体２０を半田バー１１上に配設した状態を示す概念斜視図である。
【００１７】
一方、図５に示した状態から、図７で示すように、同軸ケーブル体２３の中心導体２０上にパルスヒートのヒータチップ４０を圧接させると、図８で示すように、溶融した半田５０は導電端子３の半田付け部３ｂと中心導体間２０間に介在して両者を電気的に接続するとともに、余分な半田５１は、半田付け部３ｂの凹部１０内に内に溜まり、他へ流出することが可及的に防止されて、各導電端子３間の短絡が可及的に防止されることとなる。
【００１８】
即ち、上述した電気コネクタ１によると、半田付け部３ｂに形成された凹部１０により半田バー１０が位置決め支承されるため、当該半田バー１０は導電端子３の半田付け部３ｂ上で位置ずれを起す虞が可及的に低減し、このためケーブル中心導体２０の結線作業性を著しく向上させることが出来とともに、ケーブルである中心導体２０を半田付けして接続する際に、加熱溶融された余分な半田あるいはフラックス５１は凹部１０内に留まり、このため加熱溶融された余分な半田による隣接導電端子３間の短絡が可及的に防止され、このため半田上がり、フラックス上がりを原因とする接続不良を可及的に低減させて接続信頼性を著しく向上させることとなる。
【００１９】
なお、上記実施例では、半田バー１１の断面を矩形状に形成し、対応する導電端子３の半田付け部３ｂの凹部１０の断面形状も矩形状に形成したが、この発明時上記実施例に限定されることなく、図１と同一部分を同一符号で示す図９のように、半田バー１１の断面形状を円形とし、対応する導電端子３の半田付け部３ｂの凹部１０の断面形状を断面円弧形状に形成するようにしてもよい。
【００２０】
このように形成しても、図２と同一部分を同一符号で示す図１０のように、断面円形に形成された半田バー１１は断面円弧形状の凹部１０内において、位置決め支承され、その移動が阻止されることとなる。
【００２１】
また上記実施例では、接続対象のケーブルとして、同軸ケーブルの中心導体２０を例にして述べたが、この発明は上記実施例に限定されることなく単なる一本のケーブルを接続する場合に適用しても良く、ケーブルの種類に限定されないことは言うまでもない。
【産業上の利用可能性】
【００２２】
以上説明したように、この発明は、電気コネクタの結線作業性の向上を図るとともに、半田付けの際の余分な半田による隣接導電端子間の短絡を可及的に防止して、接続信頼性を著しく向上させるようにした電気コネクタに適している。
【図面の簡単な説明】
【００２３】
【図１】図１はこの発明に係る電気コネクタの要部断面図。
【図２】図２はこの発明に係る電気コネクタの要部断面図。
【図３】図３はこの発明に係る電気コネクタの作用を示す概念斜視図。
【図４】図４はこの発明に係る電気コネクタの作用を示す要部断面図。
【図５】図５はこの発明に係る電気コネクタの作用を示す要部断面図。
【図６】図６はこの発明に係る電気コネクタの作用を示す概念斜視図。
【図７】図７はこの発明に係る電気コネクタの作用を示す要部断面図。
【図８】図８はこの発明に係る電気コネクタの作用を示す要部断面図。
【図９】図９は他の実施例を示す電気コネクタの要部断面図。
【図１０】図１０は他の実施例を示す電気コネクタの要部断面図。
【符号の説明】
【００２４】
１…電気コネクタ
２…ハウジング
３…導電端子
３ｂ…半田付け部
１１…半田バー
１０…凹部
２０…ケーブル
【図１】
2006228668.tif 000003
【図２】
2006228668.tif 000004
【図３】
2006228668.tif 000005
【図４】
2006228668.tif 000006
【図５】
2006228668.tif 000007
【図６】
2006228668.tif 000008
【図７】
2006228668.tif 000009
【図８】
2006228668.tif 000010
【図９】
2006228668.tif 000011
【図１０】
2006228668.tif 000012